(57)【要約】      （修正有）【課題】電流センサー等の検出コア部材を堅牢安全に収納するセンサーケースを提供する。【解決手段】上ケース７は、上面中央に内側に向けて立ち上げた二つの湾曲バネ９を設け、左右側面に係止突起１４を設け、下面は差込み縁を設けて開口しており、上ケース７の内側面には、検出回路基板５を挟み保持する基板保持枠を板状の保持枠支持部で付設してある。下ケース１８は、下面中央に内側に向けて立ち上げた二つの湾曲バネを設け、左右側面に係止枠２３を立設し上面を開口した構成である。下ケース１８の開口に上ケース７の差込み縁を差し入れて検出コア部材を収納し、上ケース７の左右側面の係止突起１４に下ケースの係止枠２３を掛け入れて組み立てた構成である。【選択図】図１
0003207093.tif 000002
【実用新案登録請求の範囲】
【請求項１】
上ケースと下ケースを組み合わせ中央に略角形の貫通孔を形成した略四角形の合成樹脂製のセンサーケースで、上ケースは、上面端部に矩形の孔と上面中央に内側に向けて立ち上げた二つの湾曲バネを設け、正面と背面の略中央に切欠きを設け、左右側面に係止突起を設け、下面は差込み縁を設けて開口しており、上ケースの内側面には、検出回路基板を挟み保持する基板保持枠を細い板状の保持枠支持部で付設してあり、下ケースは、下面中央に内側に向けて立ち上げた二つの湾曲バネ及び正面と背面の略中央に切欠きを設け、左右側面に係止枠を立設し上面を開口した構成で、下ケースの開口に上ケースの差込み縁を差し入れて被せて検出コア部材を収納し、上ケースの左右側面の係止突起に下ケースの係止枠を掛け入れて組み立てたことを特徴とするセンサーケース。
【請求項２】
前記検出コア部材は、一方が短い辺の略コの字部材へ角棒部材を片側に間隙をもって重ねて略四角形に組み合わせたものであり、検出コア部材は中途にホール素子を横設した検出回路基板と組合い、検出コア部材の前記間隙に前記ホール素子を挟着した構成である請求項１記載のセンサーケース。
【請求項３】
前記上ケースの内部には切欠きの左右に、補強凸条を４本設け、側面内部の基板保持枠の反対側の側面内面に補強凸条を設け、収納した検出コア部材の周囲に５本の補強凸条が当接して囲繞し、前記下ケースの内部には、切欠きの左右に補強凸条を４本設け、左右側面内面に補強凸条を２本設け、下ケースの内部では、前記略四角形に組み合わせた検出コア部材を収納すると、その検出コア部材の周囲に６本の補強凸条が当接して囲繞する請求項１〜請求項２のいずれかに記載のセンサーケース。
【請求項４】
前記上ケースの左右の係止突起は、左右で突出具合に長短があり、前記下ケースの左右の係止枠は突出具合が異なるように形成し、一方の係止枠は係止突起が長い分に合わせて外側に張り出す幅を大きくしていることを特徴とする請求項１〜請求項３のいずれかに記載のセンサーケース。
【考案の詳細な説明】
【技術分野】
【０００１】
本考案は、電流の計測などをおこなう電流センサー等のセンサーケースに関する。
【背景技術】
【０００２】
電流センサーとは、導体を流れる電流を検出するもので、直流用ではカットコアとホール素子を組合せた構造である。直流用は交流電流にも使用できる。
この種のセンサーを装填するケースがセンサーケースである。
センサーケースは、結合組み立て分割型ケースやクランプケースがあるが、装填する電子機器に対応してケースの構造やデザインも進化しており、本考案は、クランプケースのような開閉構造ではなく、結合型のケースについての開発である。
【０００３】
電流センサーのケースは、分割型ケースであっても、電子機器内部などに装置されるので、その大きさやデザインはもとより、カットコアを保持する構造などに工夫が要請される。
【０００４】
より堅牢にしっかりと検出コア部材を収納し、ホール素子の挟持が安定していて収納環境が適切で検出が正確にでき、組み立てやすくかつ組み立て後は分割しにくいセンサーケースが求められる。
センサーケースの先行技術には、例えば意匠登録例には次のようなものがある。
【先行技術文献】
【特許文献】
【０００５】
【特許文献１】意匠登録第１１９５９７５号公報「電流センサー」
【考案の概要】
【考案が解決しようとする課題】
【０００６】
本考案は、電子機器に装置する電流センサーやその他の計測センサーを収納する結合型のセンサーケースを提供するもので、その課題は、ケース自体の高剛性、高耐熱性  低吸湿性、耐溶剤性を高めて、永年に渡りセンサー機能を阻害しないようなケースを提供することである。
【０００７】
さらに、センサーを当該ケースに装填し組み立てるに際し、その組立て作業の単純化、容易化を図り、かつセンサーの収納構成は誰が行っても安定して所定位置に収まり、一旦結合した後は安易には分離分解しないケースの構成にすることも課題である。
従来のセンサーケースには、容器部と蓋部の組み立てのために細かな係止部が数か所に設けられているために、閉塞組み合わせ作業の効率化にかなりの問題があった。
更には、電子機器に装置されたセンサーが、そのケースに守られその機能を十分に維持することも課題となる。
【課題を解決するための手段】
【０００８】
本考案のセンサーケースは、上ケースと下ケースを組み合わせ中央に略角形の貫通孔を形成した略四角形の合成樹脂製のセンサーケースである。
上ケースは、上面端部に矩形の孔と上面中央に内側に向けて立ち上げた二つの湾曲バネ或いは傾斜した板状バネを設け、正面と背面の略中央に切欠きを設け、左右側面に係止突起を設け、下面は差込み縁を設けて開口しており、上ケースの内側面には、検出回路基板を挟み保持する基板保持枠を細い板状の保持枠支持部で付設してあり、下ケースは、下面中央に内側に向けて立ち上げた二つの湾曲バネ或いは傾斜した板状バネ及び正面と背面の略中央に切欠きを設け、左右側面に係止枠を立設し上面を開口した構成で、下ケースの開口に上ケースの差込み縁を差し入れて被せて検出コア部材を収納し、上ケースの左右側面の係止突起に下ケースの係止枠を掛け入れて組み立てた構成である。
【０００９】
本考案で用いる検出コア部材は、一方が短い辺の略コの字部材へ、角棒部材を片側に間隙をもって重ねて略四角形に組み合わせたものである。
検出コア部材は、一方が短い辺、一方が長い辺の略コの字部材で、両辺の差が、前記間隙の幅になる。
【００１０】
検出コア部材は、中途にホール素子を横設した検出回路基板と組み合って電流センサーとなるもので、検出コア部材の前記間隙に、ホール素子を挟着してホール素子に励磁される電流を検出回路基板は、測定検出する。
【００１１】
上ケースの前記二つの湾曲バネ（或いは傾斜した板状バネ）は、収納された検出コア部材を下方に反発付勢し、下ケースの前記二つの湾曲バネは、収納された検出コア部材の底面に当接して、上方に反発付勢する。
検出コア部材は、上と下から押圧保持される。
【００１２】
湾曲バネ或いは傾斜した板状バネは、ケースの素材である合成樹脂材の弾性を利用して、一対で形成され、下ケースでは略「⌒  ⌒」状や略「／  ＼」状に形成され、上ケースでは略逆「⌒  ⌒」状や略「  ＼  ／  」状である。
湾曲バネは、側面視で見ると円弧状に湾曲した形状或いは傾斜した板形状で、二つの立ち上げバネで形成される。
【００１３】
検出コア部材は、センサーケース内では、上下から湾曲バネで保持され、前後左右からは、補強凸条に接して保持され、ケース内では、全周囲に隙間（空間）をもって保持される構成である。
【００１４】
センサーケースには、被測定ケーブル差込み方向矢印を表示し、組み合わせ時の目印突起を上ケース及び下ケースに設けている。
【００１５】
上ケースの上面端部に設けた矩形の孔は、検出コア部材の間隙にホール素子を挟着して電流を測定検出した検出回路基板からのデータを外部に接続するために穿設したものである。
その矩形の孔から検出回路基板の細板状の一部及び接続ケーブルを引き出している。
【００１６】
上ケースの内部には、前記検出回路基板を挟み保持する基板保持枠を前記上面に設けた矩形の孔の下方に細い板状の保持枠支持部で付設している。
保持枠支持部は薄い板状で揺動自在に少し曲がることができ、検出回路基板を差し込み組み立てる時に、その姿勢を微細に変化させることができる。
保持枠支持部は、基板保持枠の姿勢を微細に変化させ、負荷を緩衝するために可動で揺動自在に設けている。
【００１７】
上ケースの正面と背面の略中央に形成した切欠きと、下ケースの正面と背面の略中央に形成した切欠きは、組み合って前記貫通孔を形成する。
【考案の効果】
【００１８】
（１）本考案のセンサーケースは、一方が短い辺の略コの字部材へ角棒部材を片側に間隙をもって重ねて略四角形に組み合わせた検出コア部材を、上下からの押圧で保持し、補強凸条で全周囲に空隙を形成して収納する構成である。
そのため、検出コア部材や検出回路基板の発生微熱を逃がして、通気構造でセンサー機能を維持でき、微熱による素材劣化を防止できる。
（２）ケース自体の素材も、高剛性、高耐熱性  低吸湿性、耐溶剤性を高めて、永年に渡りセンサー機能を阻害しないものであるが、さらに検出コア部材の全周囲を補強凸条で支持し、検出回路基板を基板保持枠で挟み保持するもので、外部からの衝撃にも対応している。
【００１９】
（３）組立て時の簡易化のために、検出コア部材や検出回路基板の配置収納が位置決めされているので、センサーの装填に間違いが生じないし、組み立ての目印突起があり、上ケースを下ケースに差し込む作業に間違いが生じない。
下ケースに検出コア部材を装填する作業は、その空間に置くだけであるので極めて簡易であり、そこに上ケースを被せ差し込む組み立て作業も簡易で間違いがなく、組み立て作業の効率化ができる。
（４）組み立て後は、貫通孔が略中央ではあるが少し中央より偏った位置にあり、かつ、下ケースの左右の係止枠は側面からの距離を少し違えているために一旦上ケースの左右の係止突起に係合して組み立てると、分解は大きな力が要る作業となり、また分解離脱は距離の長い係止枠の片一方からしかできなくなる。
【図面の簡単な説明】
【００２０】
【図１】本考案に係るセンサーケースの一実施例を示す斜視図である。
【図２】同じ実施例で、別方向からの斜視図である。
【００２１】
【図３】本考案に係るセンサーケースの内部に装填される検出コア部材（一方が短い辺の略コの字部材へ角棒部材を片側に間隙をもって重ねて略四角形に組み合わせたもの）と、中途にホール素子を横設した検出回路基板とを分解した斜視図で、検出コア部材の前記間隙に、ホール素子を挟着してホール素子に励磁される電流を測定検出する説明図である。
【図４】同じセンサーケースの実施例の使用例を示す斜視図で、被測定ケーブルを貫通孔に通し、計測する状態の説明図である。
【００２２】
【図５】同じ実施例の、上ケースと下ケースの斜視図で、組み合わせるときは、図中の矢印のように回して目印突起を合わせて差し込む説明図である。
【図６】同じ実施例の、上ケースと下ケースの斜視図で、組み合わせるときは、図中の矢印のように目印突起を合わせて差し込む説明図である。
【００２３】
【図７】同じ実施例で、上ケースの正面図、左右側面図、上面図、下面図、３方向からの斜視図を示す多面図を配置したもので、上ケースの全体説明図である。
【図８】同じ実施例の上ケースの斜視図である。
【図９】同じ実施例で、下ケースの正面図、左右側面図、上面図、下面図、３方向からの斜視図を示す多面図を配置したもので、下ケースの全体説明図である。
【図１０】同じ実施例の下ケースの斜視図である。
【考案を実施するための形態】
【００２４】
本考案のセンサーケースは、結合型のセンサーケースであって、上ケースと下ケースを組み合わせ中央に略角形の貫通孔を形成した略四角形の合成樹脂製のケースである。
【００２５】
上ケースは、上面端部に矩形の孔と上面中央に内側に向けて立ち上げた二つの湾曲バネを設け、正面と背面の略中央に切欠きを設け、左右側面に係止突起を設け、下面は差込み縁を設けて開口しており、上ケースの内側面には、検出回路基板を挟み保持する基板保持枠を細い板状の保持枠支持部で付設してある。
【００２６】
下ケースは、下面中央に内側に向けて立ち上げた二つの湾曲バネ及び正面と背面の略中央に切欠きを設け、左右側面に係止枠を立設し上面を開口した構成である。
下ケースの開口に上ケースの差込み縁を差し入れて被せて検出コア部材を収納し、上ケースの左右側面の係止突起に下ケースの係止枠を掛け入れて組み立てた構成である。
【００２７】
本実施形態では、検出コア部材が一体でなく複数の部品から構成されていてもそれらを重ねて検出コア部材を上下から固定して収納でき、検出コア部材は中途にホール素子を横設した検出回路基板と組み合わせて収納される。
【００２８】
上ケースと下ケースは組立ての目印突起があるため組み立ての間違いがなく、検出コア部材を固定して収納し組み合わせた後は、係止突起と係止枠が係合し、容易には分解しない組み合わせになる。
【実施例】
【００２９】
次に本考案にかかるセンサーケースについて、図面に示す実施例に基づいて説明する。
図１〜図１０は、本考案に係るセンサーケースの一実施例を示すものである。
いずれも同じ実施例である。
【００３０】
実施例のセンサーケース（１）は、中央に略角形の貫通孔（２）を備えた合成樹脂製（商標：日本ポリプロ株式会社  ノバテックＰＰ  ＢＣ４ＢＳＷ  汎用ポリプロピレン）の略四角形に組み合わせ結合したセンサーケース（１）である。
【００３１】
図示の実施例のセンサーケース（１）寸法は、正面視で  横幅約２８ｍｍ,高さ約２８ｍｍ、奥行約１１ｍｍである。
略中央に設けられる貫通孔（２）は、横幅約８ｍｍ、高さ約１２ｍｍであり、貫通孔（２）は少し偏心して設けられ、貫通孔（２）の孔縁から一方の端縁まで約１２ｍｍ、他方の孔縁から他方の端縁まで約８ｍｍになっている。
【００３２】
センサーケース（１）は、その内部に略コの字部材（３１）と角棒部材（３２）を片側に間隙（３３）をもって略四角形に組み合わせた検出コア部材（３）を収納している。
【００３３】
前記間隙（３２）は、ホール素子（４）が挟着される空間である。
ホール素子（４）は、外部にまで立設される検出回路基板（５）の中途に前に突き出すように設けてあり、前記貫通孔（２）に差し込まれた被測定ケーブル（６）の磁界を検出する。
【００３４】
センサーケース（１）は、上ケース（７）を下ケース（８）に差し込み、左右側面部に設けた係止構成で係止する堅牢な結合構成である。
【００３５】
上ケース（７）は、上面端部に矩形の孔（８）と上面中央に内側に向けて立ち上げた二つの湾曲バネ（９）とを設け被測定ケーブル差込み方向矢印（１０）を表示した上面、組み合わせ時の目印突起（１１）及び中央に略П状の切欠き（１２）を設けた正面と背面、係止突起（１４）を設けた左右側面、差込み縁（１３）を周縁内側に設けた開口で形成された下面、とからなる。
上ケース（７）は、前記検出コア部材（３）の略上半分を収納し、その検出コア部材（３）の間隙（３２）にホール素子（４）を挟着して検出回路基板（５）も装填する。
【００３６】
湾曲バネ（９）は、素材合成樹脂材の弾性を利用して、側面視で円弧状に湾曲したものである。
上ケースでは略逆「⌒  ⌒」状の、二つの立ち上げ湾曲バネ（９）として形成している。
湾曲バネ（９）の形成は、上面中央を略横Ｈ状に切り込み、切り込んだ左右の片を内側に湾曲成形したものである。
下ケースでも同様であり、略「⌒  ⌒」状に、切り込んだ左右の片を内側に湾曲成形している。
湾曲バネ（９）の形状は、実施例に限定されるものではない。湾曲バネ（９）は、角棒部材（３２）を上方からその水平な姿勢を維持するかたちで押圧する。
【００３７】
上ケース（７）の内部には、前記上面に設けた矩形の孔（８）の下方に、前記検出回路基板（５）を挟み保持する基板保持枠（１５）を、細い板状の保持枠支持部（１６）で揺動自在に設けている。
組み立て時、前記検出回路基板（５）は前記基板保持枠（１５）に挟み保持するが、検出コア部材（３）の間隙（３２）には前記基板保持枠（１５）のホール素子（４）を挟着してある状態であるため、検出コア部材（３）への押し込み負荷が基板保持枠（１５）にも伝達されるが、細い板状の保持枠支持部（１６）が柔軟にその負荷を受けて、基板保持枠（１５）が横に曲がって負荷を緩衝し又定位置に復帰して、正常に検出コア部材（３）がセンサーケース（１）に収納装填される。
【００３８】
上ケース（７）の内部には、貫通孔（２）の窓枠となる中央に設けた略П状の切欠き（１２）の左右に、補強凸条（１７）を設け、側面内部の基板保持枠（１５）の反対側の側面内面に補強凸条（１７）を設けている。補強凸条（１７）は合計で５本設けられており、前記略四角形に組み合わせた検出コア部材（３）の周囲に５本の補強凸条（１７）が当接し、安定して囲繞する。
【００３９】
上面中央に内側に向けて立ち上げた二つの湾曲バネ（９）は、収納された検出コア部材（３）の角棒部材（３２）に当接して、下方に反発付勢する。
この付勢と補強凸条（１７）とで略四角形に組み合わせた検出コア部材（３）を保持する。
【００４０】
下ケース（１８）は、下面中央に内側に向けて立ち上げた二つの湾曲バネ（１９）と被測定ケーブル差込み方向矢印（２０）を表示した下面、組み合わせ時の目印突起（２１）及び中央に略逆П状の切欠き（２２）を設けた正面と背面、前記上ケース（７）の左右側面の夫々の係止突起（１４）にかかる各係止枠（２３）を立設した左右側面、前記上ケース（７）の差込み縁（１３）を差し込む周縁で開口した下面とからなる。
【００４１】
下ケース（１８）の内部には、中央に設けた略逆П状の切欠き（２２）の左右に補強凸条（２４）を４本設け、左右側面内面に補強凸条（２４）を２本設け、合計６本の補強凸条（２４）が設けられている。
下ケース（１８）の内部では、前記略四角形に組み合わせた検出コア部材（３）を収納すると、その検出コア部材（３）の周囲に、６本の補強凸条（２４）が当接し、安定して囲繞する。
【００４２】
下面中央に内側に向けて立ち上げた二つの湾曲バネ（１９）は、収納された検出コア部材（３）の底面に当接して、上方に反発付勢する。
この付勢と補強凸条（２４）とで略中空四角形に組み合わせた検出コア部材（３）を保持する。
検出コア部材（３）は、上下からの湾曲バネ（９）（１９）の押圧で保持され、補強凸条（１７）（２４）で全周囲に空隙を形成して収納される。
全周囲に空隙があり、空気や熱の通路がある通気構造で、過熱を防止しセンサー機能を維持でき、微熱による素材劣化を防止できる。
【００４３】
下ケース（１８）に検出コア部材（３）を差し入れて、検出コア部材（３）の下半分を収納し、上ケース（７）には、前記検出コア部材（３）の上半分を収納し、その検出コア部材（３）の間隙（３３）にホール素子（４）を挟着して検出回路基板（５）も装填し、センサーケース全体として、下ケース（１８）に上ケース（７）を被せ、略中空四角形に組み合わせた検出コア部材（３）を収納したセンサーを組み立てる。
【００４４】
下ケース（１８）と上ケース（７）の組み合わせは、差し込み方を間違わないように、下ケース（１８）の目印突起（２１）と上ケース（７）の目印突起（１１）とを合わせるようにして、上ケース（７）の差込み縁（１３）を下ケース（１８）の上面開口に差し込み組み合わせる。
上ケース（７）の左右の係止突起（１４）に下ケース（１８）の左右の係止枠（２３）を夫々かけて一体化する。
【００４５】
上ケース（７）の左右の係止突起（１４）は、図５に示すように左右で突出具合が異なり、長短の違いをもって形成している。
上ケース（７）の左右の係止突起（１４）に対応するように、下ケース（１８）の左右の係止枠（２３）もその突出具合が異なるように形成している。
図５中の右側の係止枠（２３）は、上ケース（７）の右側の係止突起（１４）が長い分に合わせて、少し外側に張り出す幅を大きくしている。
【００４６】
上ケース（７）の左右の係止突起（１４）と下ケース（１８）の左右の係止枠（２３）とを、左右を同一にしないで、長さを変えたことで、係止突起（１４）に下ケース（１８）の係止枠（２３）を掛けるときに、一緒に左右同時にはかけられなくなっている。
係止枠（２３）を掛けるときは、同時にはできないので、短い係止枠（２３）を掛けてから長い方の係止枠（２３）を掛けるという手順になる。
【００４７】
センサーケース（１）に収納された検出コア部材（３）は、上方からは上面中央に内側に向けて立ち上げた二つの湾曲バネ（９）で押圧され、下方からは下面中央に内側に向けて立ち上げた二つの湾曲バネ（１９）で押圧され、しっかり収納される。
そして、上ケース（７）と下ケース（１８）は容易には分離しない結合となる。
【００４８】
上ケース（７）と下ケース（１８）を分離し、外す時は、左右の係合を同時には外せない構造で、長い方を外してから短い方を外すという外し方になるので、偶然に外れ分離することはない。
【産業上の利用可能性】
【００４９】
本考案のセンサーケースは、電流センサーの結合型のケースとして開発されたものである。太陽光発電機材におけるセンサーケースとしての利用のほか、自動車やロボットの各種計測用のケースとして利用できる可能性がある。
【符号の説明】
【００５０】
１      センサーケース
２      貫通孔
３      検出コア部材（一方が短い辺の略コの字部材と角棒部材の組み合わせ）
３１    コの字部材（略コの字部材で一方が短い辺、一方が長い辺）
３２    角棒部材
３３    間隙
４      ホール素子
５      検出回路基板
６      被測定ケーブル（電線）
７      上ケース
８      孔
９      湾曲バネ
１０    被検査体挿入方向矢印
１１    目印突起
１２    切欠き（貫通孔の枠）
１３    差込み縁
１４    係止突起
１５    基板保持枠
１６    保持枠支持部
１７    補強凸条
１８    下ケース
１９    湾曲バネ（或いは傾斜した板状バネ）
２０    被検査体挿入方向矢印
２１    目印突起
２２    切欠き（貫通孔の枠）
２３    係止枠
２４    補強凸条
【図１】
0003207093.tif 000003
【図２】
0003207093.tif 000004
【図３】
0003207093.tif 000005
【図４】
0003207093.tif 000006
【図５】
0003207093.tif 000007
【図６】
0003207093.tif 000008
【図７】
0003207093.tif 000009
【図８】
0003207093.tif 000010
【図９】
0003207093.tif 000011
【図１０】
0003207093.tif 000012